(57)【要約】【課題】キャップを取り外さずに気水密を維持した状態で飲料容器内の飲料を注出し、飲料の品質を維持することができ、また、タップの衛生面の向上を図れるようにした冷却機能付き飲料注出器を提供すること。【解決手段】飲料容器１のキャップ部１１にシール機構を介して気水密に被着した状態で、加圧気体供給手段３０及び飲料導出手段３２を気水密を維持しつつ進退移動可能に形成し、加圧気体供給路及び飲料導出路を有する刃部９０によってキャップ部１１を切り裂いて飲料容器１内に突入させることで、飲料容器１内に空気が侵入するのを阻止（嫌気）した状態で、飲料容器１内の飲料を注出することができる。また、タップ３３を低温雰囲気のタップ収納室２３に収納保管することで、タップ３３のノズル部３３ｂに付着した飲料から発生する微生物の生育を抑制することができる。【選択図】　図２
2004051112.tif 000002
【特許請求の範囲】
【請求項１】
飲料容器を収容する断熱性を有するケース本体と、
上記ケース本体に内蔵されてケース本体内を冷却する冷却手段と、
加圧気体供給源に接続されて上記飲料容器内に加圧気体を供給する加圧気体供給手段と、
上記飲料容器内の飲料を導出する飲料導出手段と、
上記ケース本体に着脱可能に取り付けられ、上記飲料導出手段に接続されて上記飲料容器内の飲料を必要に応じて注出するタップと、
上記飲料容器のキャップ部にシール機構を介して気水密に被着され、上記加圧気体供給手段及び飲料導出手段を気水密を維持しつつ進退移動可能に形成すると共に、キャップ部を切り裂いて飲料容器内に突入可能な刃部を形成してなる嫌気開栓体と、
上記ケース本体を垂直方向に回動可能に支持する支持手段と、
を具備してなることを特徴とする冷却機能付き飲料注出器。
【請求項２】
請求項１記載の冷却機能付き飲料注出器において、
上記刃部に加圧気体供給路及び飲料導出路を形成してなることを特徴とする冷却機能付き飲料注出器。
【請求項３】
請求項１記載の冷却機能付き飲料注出器において、
上記支持手段に、ケース本体を垂直方向の任意の位置に固定するロック機構を具備することを特徴とする冷却機能付き飲料注出器。
【請求項４】
請求項１記載の冷却機能付き飲料注出器において、
上記ケース本体内に、このケース本体から取り外されたタップを収納するタップ収納室を設けてなることを特徴とする冷却機能付き飲料注出器。
【発明の詳細な説明】
【０００１】
【発明の属する技術分野】
この発明は、例えばビール等の飲料を冷却すると共に、気水密な状態で嫌気用開栓可能な冷却機能付き飲料注出器に関するものである。
【０００２】
【従来の技術】
従来この種の飲料注出器として、飲料容器例えば２〜３リットルのビール樽缶の口部に気水密に被着される被着体と、加圧気体供給源例えば炭酸ガスボンベに接続されて飲料容器内に加圧気体を供給する加圧気体供給部と、この加圧気体供給部から供給される加圧気体により加圧されたビール樽缶内のビールをタップの開閉操作により導出する飲料導出部を具備するもの等が知られている。
【０００３】
これらの飲料注出器によれば、ビール樽缶の口部を閉塞するキャップを取り外した後、上記被着体をビール樽缶の口部に気水密に被着し、次いで、炭酸ガスボンベの栓を開放してビール樽缶内に炭酸ガスを供給した状態でタップを操作して、ビール樽缶内のビールをコップやジョッキ等に注ぐことができ、一度にビール樽缶内のビールを飲み干さない場合はタップを閉じて飲料を冷蔵保存することができる。
【０００４】
【発明が解決しようとする課題】
しかしながら、従来のこの種の飲料注出器においては、飲料容器のキャップを取り外した後に注出器の被着体を被着するため、飲料容器内に外部の空気が入り込み、その空気が残存した状態となる。したがって、残存する空気中の酸素によって飲料が酸化して品質低下するという問題があった。
【０００５】
また、飲料容器内に飲料が残っている状態で保管すると、タップのノズル部に付着したビールに微生物が生殖し、保管温度が約２０〜３５℃の環境下においては、カビなどが生育し易い状態になり、温度が高くなるに連れて増殖速度が速くなる。更に、環境温度が約３０〜４０℃と高くなると、大腸菌なども生殖する恐れがある。したがって、飲料容器内に飲料が残っている状態で保管するには、衛生面に細心の注意を払わなければならない。
【０００６】
この発明は、上記事情に鑑みなされたもので、キャップを取り外さずに気水密を維持した状態で飲料容器内の飲料の注出を可能にして、飲料の品質を維持することができ、また、タップの衛生面の向上を図れるようにした冷却機能付き飲料注出器を提供することを目的とするものである。
【０００７】
【課題を解決するための手段】
上記目的を達成するために、請求項１記載の発明は、飲料容器を収容する断熱性を有するケース本体と、　上記ケース本体に内蔵されてケース本体内を冷却する冷却手段と、　加圧気体供給源に接続されて上記飲料容器内に加圧気体を供給する加圧気体供給手段と、　上記飲料容器内の飲料を導出する飲料導出手段と、上記ケース本体に着脱可能に取り付けられ、上記飲料導出手段に接続されて上記飲料容器内の飲料を必要に応じて注出するタップと、　上記飲料容器のキャップ部にシール機構を介して気水密に被着され、上記加圧気体供給手段及び飲料導出手段を気水密を維持しつつ進退移動可能に形成すると共に、キャップ部を切り裂いて飲料容器内に突入可能な刃部を形成してなる嫌気開栓体と、　上記ケース本体を垂直方向に回動可能に支持する支持手段と、　を具備してなることを特徴とする。
【０００８】
この発明において、上記刃部に加圧気体供給路及び飲料導出路を形成する方が好ましい（請求項２）。また、上記支持手段に、ケース本体を垂直方向の任意の位置に固定するロック機構を具備する方が好ましい（請求項３）。
【０００９】
また、請求項４記載の発明は、請求項１記載の冷却機能付き飲料注出器において、　上記ケース本体内に、このケース本体から取り外されたタップを収納するタップ収納室を設けてなることを特徴とする。
【００１０】
上記のように構成することにより、飲料容器のキャップ部にシール機構を介して気水密に被着した状態で、加圧気体供給手段及び飲料導出手段を気水密を維持しつつ進退移動可能に形成し、加圧気体供給手段及び飲料導出手段を具備する刃部によって飲料容器のキャップ部を切り裂いて飲料容器内に突入させることができる。したがって、飲料容器内に空気が侵入するのを阻止（嫌気）すると共に、加圧気体供給手段及び飲料導出手段を飲料容器内に容易にかつ確実に接続することができ、飲料容器内の飲料を注出することができる（請求項１，２）。
【００１１】
この場合、上記支持手段に、ケース本体を垂直方向の任意の位置に固定するロック機構を具備することにより、ケース本体を垂直方向の任意の位置に固定することができるので、ケース本体を飲料容器のセット位置に固定して飲料容器をケース本体内に収容あるいはケース本体内から取り出すことができる。また、ケース本体を飲料注出に適した位置（姿勢）に固定して飲料の注出操作を行うことができる（請求項３）。
【００１２】
また、ケース本体内に、このケース本体から取り外されたタップを収納するタップ収納室を設けることによって、飲料注出器の不使用時にタップをタップ収納室に収納保管することができると共に、微生物が生育し難い低温雰囲気に保管することができるので、タップのノズル部に付着した飲料から発生する微生物の生育を抑制することができる（請求項４）。
【００１３】
【発明の実施の形態】
以下に、この発明の冷却機能付き飲料注出器の実施形態について、添付図面に基づいて、詳細に説明する。
【００１４】
ここでは、飲料容器がビール容器である場合で、ビールサーバに適用した場合について説明する。
【００１５】
図１は、この発明の冷却機能付き飲料注出器を適用したビールサーバの使用状態を示す全体斜視図、図２は、ビールサーバの使用状態を示す断面図、図３は、この発明における嫌気開栓体の装着状態を示す拡大断面図である。
【００１６】
上記ビールサーバは、保冷対象物であるビールＢを収容する例えば２〜３リットル入りのアルミニウム製の飲料容器１（以下にビール缶１という）を収容する断熱性を有するビールサーバ本体を構成するケース本体２と、ケース本体２の側壁に組み込まれる冷却手段１０と、加圧気体供給源である炭酸ガスカートリッジ３１に接続されてビール缶１内に加圧気体を供給する加圧気体供給手段３０（以下に炭酸ガス供給部３０という）と、ビール缶１内のビールＢを注出するタップ３３と、ビール缶１のキャップ１１に取り付けられる嫌気開栓体４と、ケース本体２の側壁を２点で支持すると共に、ケース本体２を垂直方向に回動可能に支持する支持手段であるスタンド５とで主に構成されている。
【００１７】
上記ケース本体２は、図２に示すように、ビール缶１が収容されるビール収容室２０と、このビール収容室２０の開口部２１に着脱可能に閉塞される蓋体２２とを具備している。また、ケース本体２におけるビール収容室２０の開口部２１との反対部位に上記タップ３３を収納可能なタップ収納室２３が形成されている。
【００１８】
上記ビール収容室２０は、図２及び図４に示すように、ビール缶１を収容する外方へ開口する円柱状の凹部で形成されている。また、上記蓋体２２は、ビール収容室２０の開口部２１に対向する開口凹部２２ａを有する有底円筒状に形成されており、蓋体２２を開口部２１に装着した際に、後述するビール缶１のキャップ１１に取り付けられる嫌気開栓体４が蓋体２２の開口凹部２２ａに収容されるようになっている。この場合、上記ケース本体２と蓋体２２は、例えば、一対のアルミニウム製化粧板間に発泡ポリウレタン等の断熱材を介在した断熱構造になっている。
【００１９】
また、ケース本体２内の後部位置にはビール収容室２０に面した状態で、ビール収容室２０内を冷却する冷却手段１０が形成されている。この場合、冷却手段１０はペルチェ素子１０ａ、放熱器１０ｂ、ファン１０ｃ及びコントローラ１０ｄとで構成されている（図２参照）。
【００２０】
上記タップ収納室２３には、図１０ないし図１２に示すように、ケース本体２の両内側壁２ａの対向する内面に突設される平面略視コ字状に形成された一対の凹条部２４ａにより収納凹所２４が形成されている。この収納凹所２４の凹条部２４ａに、後述するタップ３３の取付用ブロック３４が摺動可能に嵌挿されるようになっている。したがって、タップ３３をタップ収納室２３に安定した状態で収納することができると共に、タップ収納室２３から容易に取り出すことができる。
【００２１】
また、タップ収納室２３の開口部２５には、このタップ収納室２３を閉塞し密閉するための蓋２６が開閉可能に被着されている。なお、タップ収納室２３内は上記ビール収容室２０と同様に、冷却手段１０により冷却されているので、タップ収納室２３は低温雰囲気に保たれている。このように、タップ収納室２３にタップ３３を収納し、開口部２５を蓋２６で閉塞することにより、タップを低温雰囲気内例えば、１０℃の低温雰囲気に保管することができるので、タップ３３のノズル部３３ｂに付着したビールから発生する微生物の生育を抑制することができる。
【００２２】
上記ケース本体２の前側壁２ｂには、ビール導出チューブ３９を収容するスリット２ｃが形成されると共に、このスリット２ｃの下端部及び中間部にＵ字状に起立片２８ａが突設され、この起立片２８ａと起立片２８ａの先端にＵ字開口部２７へ向かって延在するフランジ部２７ａとで取付凹所２８が形成されている。なお、この取付凹所２８とＵ字開口部２７で形成される取付部に後述するタップ３３の取付用ブロック３４が嵌合し取り付けられる（図９参照）。
【００２３】
上記タップ３３は、図９に示すように、泡だし機構を有する基部３３ａと、ビールＢを注出するノズル部３３ｂと、ビールＢの注出を操作をするレバー３３ｃとで主に構成されている。このタップ３３の基端部には、例えば合成樹脂製の取付用ブロック３４が一体的に形成されている。この取付用ブロック３４は、タップ３３の基端部を接続する基板３４ａと、基板３４ａの両側面及び下側面から外方へ延在する取付片３４ｂとで形成されている。
【００２４】
このように構成されたタップ３３をケース本体２に取り付けるには、上記取付部の取付凹所２８に取付用ブロック３４の取付片３４ｂを摺動可能に嵌合し、下方へスライドすると共に、Ｕ字開口部２７に基板３４ａの側面を嵌合すればよい。また、逆に、タップ３３をケース本体２から取り外すには、取付用ブロック３４を上方へスライドさせて、取付部２９と取付用ブロック３４の嵌合を解いて、タップ３３を取り外すことができる。したがって、取付用ブロック３４を取付凹所２８に対して摺動（スライド）させながら嵌合あるいは嵌合を解くことができるので、タップ３３をケース本体２に対してワンタッチで取り付けたり、取り外しを行うことができる。
【００２５】
また、取り外されたタップ３３をタップ収納室２３へ収納するには、図１１及び図１２に示すように、タップ３３及び取付用ブロック３４を、タップ３３のレバー３３ｃ及びノズル部３３ｂがタップ収納室２３の底部に対して水平状態になるようにし、タップ収納室２３に形成された収納凹所２４の凹条部２４ａに取付用ブロック３４の基板３４ａ及び取付片３４ｂを摺動可能に嵌合すればよい。
【００２６】
上記嫌気開栓体４は、図２及び図３に示すように、ビール缶１の口部１２を密閉するキャップ１１に気水密に取り付けられる被着部材４０と、炭酸ガスカートリッジ３１に接続されてビール缶１内に加圧気体である炭酸ガスを供給する炭酸ガス供給部３０と、炭酸ガス供給部３０から供給される炭酸ガスにより加圧されたビール缶１内のビールＢをタップ３３のレバー３３ｃの開閉操作により選択的に導出する飲料導出手段３２（以下にビール導出部３２という）と、炭酸ガス供給部３０及びビール導出部３２におけるキャップ１１と対向する端部に形成されて、キャップ１１を切り裂いてビール缶１内に突入可能な刃部９０とを具備する。
【００２７】
上記被着部材４０は、図３及び図１４に示すように、ビール缶１の口部１２の外方を包囲する外装筒体４１と、この外装筒体４１内に摺動可能に嵌挿され、下部にキャップ１１の下端部に係脱可能に係合する係合片４７を具備する内装筒体４５と、この内装筒体４５内に摺動可能に嵌挿され、下端面がキャップ１１の頂部に密接する断面矩形状のＯリング７ａ（シール機構）を具備する押え部材７０と、内装筒体４５の内周面に設けられた雌ねじ部４６ａにねじ結合する雄ねじ部６１ａを外周面に設けると共に、内周面に雌ねじ部６１ｂを設け、かつ上部外周部に回転操作用凹凸部６３を具備する下部回転操作筒体６０と、下部回転操作筒体６０の内周面に設けられた雌ねじ部６１ｂに螺合する雄ねじ部６５ａを外周部に設け、上部外周部に回転操作用凹凸部６７を具備する上部回転操作筒体６４と、上部回転操作筒体６４の内周面に回転可能に嵌挿される被着基部材８０と、この被着基部材８０の下部に装着されると共に、下部回転操作筒体６０の内周面との間にシールパッキン７ｂ（シール機構）を介して取り付けられる刃部取付部材８６とで主に構成されている。
【００２８】
この場合、外装筒体４１、内装筒体４５、押え部材７０、下部回転操作筒体６０、上部回転操作筒体６４、被着基部材８０及び刃部取付部材８６は、それぞれ合成樹脂製部材にて形成されている。なお、Ｏリング７ａとシールパッキン７ｂとでシール機構が構成されている。
【００２９】
上記外装筒体４１は、図３及び図１４に示すように、筒状本体４２の下端部の内方に内向きフランジ４３を延在し、また、筒状本体４２の一側部には、段付きのガイドピン７５の大径部を摺動可能に嵌挿するガイド溝４４が軸方向に設けられている。
【００３０】
また、内装筒体４５は、図３及び図１４に示すように、内周面に雌ねじ部４６ａを刻設した筒状本体４６と、この筒状本体４６の下端部の内方にばね受け段部４８を介して垂下される筒状の係合片４７とで主に構成されている。この場合、筒状本体４６の一側には段付きのガイドピン７５の小径部を取り付ける取付孔４６ｂが設けられている。また、ばね受け段部４８の下面には、環状のばね受け部４８ａが周設されている。また、係合片４７は、周方向に適宜間隔をおいて複数例えば８個のスリット（図示せず）が下方に開口した状態で設けられて、径方向に弾性変形可能に形成されており、下端部には、ビール缶１のキャップ１１の下端部に係脱可能に係合する係合爪４７ａが設けられている。
【００３１】
上記のように構成される外装筒体４１の内向きフランジ４３と、内装筒体４５のばね受け部４８ａとの間にコイルばね４９が縮設されて、外装筒体４１に対して内装筒体４５が常時外方側に押圧されるように構成されている。
【００３２】
また、下部回転操作筒体６０は、図３及び図１４に示すように、外周面に、内装筒体４５の内周面に設けられた雌ねじ部４６ａにねじ結合する雄ねじ部６１ａを設け、内周面に上部回転操作筒体６４の外周面に設けられる雄ねじ部６５ａに螺合する雌ねじ部６１ｂを設けた筒状本体６１と、この筒状本体６１の上端から外方へ向かって延在する外向きフランジ６２と、この外向きフランジ６２の外周面に設けられる回転操作用凹凸部６３とで構成されている。
【００３３】
また、上部回転操作筒体６４は、図３及び図１４に示すように、外周面に、下部回転操作筒体６０の内周面に設けられた雌ねじ部６１ｂにねじ結合する雄ねじ部６５ａを設けた筒状本体６５と、この筒状本体６５の上端から外方に向かって延在する外向きフランジ６６と、外向きフランジ６６の外周面に設けられる回転操作用凹凸部６７とで構成されている。
【００３４】
また、被着基部材８０は、図３及び図１４に示すように、下端外周部に、上部回転操作筒体６４の下端部に係合する係合フランジ８１を突設した円柱状に形成されている。この被着基部材８０には、加圧気体供給手段３０を構成する炭酸ガス供給路８４と、飲料導出手段３２を構成するビール導出路８５とが互いに平行に貫通した状態に設けられている。炭酸ガス供給路８４の内方側開口部８４ａは、下方に開口するガス受け凹所８４ｃに開口しており、このガス受け凹所８４ｃ内に突出する内方側開口部８４ａには、ビール缶１内のビールＢが逆流するのを阻止する逆止弁８４ｄが装着されている。また、炭酸ガス供給路８４の外方側開口部８４ｂには、カプラ８４ｅを介して炭酸ガス供給チューブ８４ｆが着脱可能に接続されている。ビール導出路８５の外方側開口部８５ａには、カプラ８５ｂを介してビール導出チューブ８５ｃが着脱可能に接続されている。また、被着基部材８０の下端側には、炭酸ガス供給路８４及びガス受け凹所８４ｃと連通するガス連通路８４ｇと、ビール導出路８５に連通するビール連通路８５ｄが下方に向かって開口した状態で設けられている。また、被着基部材８０の下端部外周面には、シール機構を構成するシールパッキン７ｂが装着されており、下端部の対向する２箇所には、雌ねじ部を有する取付孔（図示せず）が設けられている。
【００３５】
また、刃部取付部材８６は、図１３に示すように、下部小径部８６ａと上部大径部８６ｂとからなる段付き円柱状に形成されており、中心部には、上部が拡径の段付き刃部取付孔８７が貫通されている。この刃部取付部材８６は、対向する２箇所に貫通孔８６ｃが穿設されており、これら貫通孔８６ｃ内を下方から貫挿する取付ねじ（図示せず）を被着基部材８０の下端面に設けられた取付孔（図示せず）に螺合することによって、刃部取付部材８６と被着基部材８０とが固定されるようになっている。また、刃部取付孔８７の拡径孔部８７ａの一側面には軸方向に沿う案内凸条８７ｂが突設されており、この案内凸条８７ｂに刃部材９１に設けられてた係合溝９７を係合させるようにして刃部９０を形成する刃部材９１が刃部取付部材８６に取り付けられている。
【００３６】
この場合、刃部材９１は、図１３に示すように、上部に外向きフランジ９２を有する円柱状の刃基部９３と、この刃基部９３の下端部から突出する先端中央が尖先状の刃部９０と、刃部９０から刃基部９３側に向かって傾斜する面にそれぞれ開口する加圧気体供給手段３０を構成する炭酸ガス供給路９５（加圧気体供給路）及び飲料導出手段３２を構成するビール導出路９６（飲料導出路）とを具備している。
【００３７】
このように構成される刃部材９１は、刃部取付部材８６の刃部取付孔８７内に嵌挿され、刃部９０が下方に突出した状態に取り付けられた状態で、被着基部材８０に設けられたガス連通路８４ｇとビール連通路８５ｄに、それぞれ炭酸ガス供給路９５とビール導出路９６が連通されている。
【００３８】
また、押え部材７０は、図３及び図１４に示すように、刃部取付部材８６を摺動可能に嵌挿する上部が拡径する段付きの嵌挿孔７１を有すると共に、下端面にＯリング７ａの装着溝７２を周設し、外周面の対向する２箇所に外側凸条（図示せず）を軸方向に沿って突設してなる。この場合、嵌挿孔７１の拡径段部７３に刃部取付部材８６の下部小径部８６ａと上部大径部８６ｂの段部が係合されるようになっている。また、外側凸条（図示せず）は、内装筒体４５のばね受け段部４８の対向する２箇所に設けられた凹状段部（図示せず）に摺動可能に係合されるようになっている。
【００３９】
このように構成される押え部材７０は、外側凸条（図示せず）を内装筒体４５の凹状段部内に係合させた状態で、押え部材７０の上端面が、内装筒体４５に螺合される下部回転操作筒体６０の下端面と係合される状態で組み付けられる。
【００４０】
上記のように構成される嫌気開栓体４を用いてビール缶１を嫌気開栓するには、まず、図４に示すように、ケース本体２内にビール缶１を収納した後、図１４に示すように、上部回転操作筒体６４内に被着基部材８０を嵌挿させ、被着基部材８０の炭酸ガス供給部３０の外方開口部８４ｂにカプラ８４ｅをもって炭酸ガス供給チューブ８４ｆを接続すると共に、ビール導出路８５の外方開口部８５ａにカプラ８５ｂをもってビール導出チューブ８５ｃを接続する。この状態で、外装筒体４１を押し上げて内装筒体４５の係合片４７に設けられた係合爪４７ａをキャップ１１の下端部に係合させて外装筒体４１の押し上げを解除すると、内装筒体４５と外装筒体４１との間に介在されるコイルばね４９の弾性力によって、外装筒体４１は下方に押し下げられ、内装筒体４５の係合爪４７ａとキャップ１１の下端部との係合を固定する。この状態で内装筒体４５内に押え部材７０を嵌挿し、押え部材７０の外周面の対向する２箇所に突設された外側凸条（図示せず）と内装筒体４５のばね受け段部４８に対向する２箇所に設けられた凹状段部（図示せず）を係合させた状態にする。ここで、下部回転操作筒体６０の外向きフランジ６２に設けられた回転操作用凹凸部６３をもって下部回転操作筒体６０をねじ込むと、まず、Ｏリング７ａがキャップ１１の上端部に密接して気水密状態（嫌気状態）にすると共に、下部回転操作筒体６０の外向きフランジ６２の下面と外装筒体４１の上端部が当接することにより、被着部材４０とビール缶１の口部１２の被着を確実にする（図１５参照）。この状態では、Ｏリング７ａは、キャップ１１の上方に位置している。
【００４１】
その後、上部回転操作筒体６４の雄ねじ部６５ａを下部回転操作筒体６０の雌ねじ部６１ｂにねじ込んで、被着基部材８０と共に刃部取付部材８６を下方に移動させると、刃部材９１の先端がキャップ１１の頂部に突き刺さってキャップ１１の上端を切り裂き、更に上部回転操作筒体６４を回転して刃部材９１を下方に移動させることにより、刃部材９１の少なくとも傾斜状先端部がビール缶１内に突入することで、キャップ１１の頂部が外気と遮断すなわち嫌気された状態で開栓される。
【００４２】
上記のように、炭酸ガス供給部３０とビール導出部３２を被着部材４０の被着基部材８０に設け、被着基部材８０の係合フランジ８１に係合する上部回転操作筒体６４を、内装筒体４５とねじ結合することにより、被着基部材８０と炭酸ガス供給部３０及びビール導出部３２を回転させずに、上部回転操作筒体６４のみを正逆回転させて、炭酸ガス供給部３０とビール導出部３２をビール缶１の口部１２のキャップ１１に対して進退移動させることができる。
【００４３】
上記スタンド５は、図１及び図４に示すように、略矩形状の基板５１と、この基板５１の対向する両側辺に起立する一対の側面視三角フレーム状のブラケット部５０とで主に構成されている。このスタンド５の両ブラケット部５０の上部頂点部とケース本体２の側壁とを貫通する枢支ピン５６と、後述するロック機構５２を介してケース本体２が垂直方向の任意の位置に固定し得るように垂直方向に回動可能、すなわち姿勢変位可能に構成されている。
【００４４】
上記ロック機構５２は、例えば、図５及び図６に示すように、ケース本体２の側壁とスタンド５のブラケット部５０とを貫通する枢支ピン５６に回転自在に装着（枢着）されるロックレバー５５と、ブラケット部５０との間の摩擦作用を利用した構造となっている。この場合、ブラケット部５０の外側にはロックレバー５５が近接して配設されており、ブラケット部５０の外側面に、上端に向かって下り勾配の傾斜面５０ｂが形成され、ロックレバー５５の内側面には、このロックレバー５５の枢着側端部に向かって下り勾配の傾斜面５５ｂが形成され、ロックレバー５５の回動によって傾斜面５０ｂと５５ｂが接離し得るように構成されている。
【００４５】
このように構成されるロック機構５２は、少なくとも一方のブラケット部５０側に形成すればよい。
【００４６】
なお、この場合、枢支ピン５６は、図５及び図６に示すように、ケース本体２の内側壁２ａに形成された取付凹部２ｅの底部と外側壁２ｄに穿設された貫通孔２ｆと、ブラケット部５０に穿設された貫通孔５０ａ及びロックレバー５５に穿設された貫通孔５５ａにワッシャ５７を介して貫通されている。また、枢支ピン５６の頭部５６ａは外側に位置し、取付凹部２ｅ内に突出する先端部にはナットやかしめ等の止着部５６ｂが形成されて枢支ピン５６の抜け止めがなされている。
【００４７】
上記のように構成されるロック機構５２によれば、図５（ａ）及び（ｂ）に示すように、ロックレバー５５を垂直に起立させることにより、ロックレバー５５の傾斜面５５ｂとブラケット部５０の傾斜面５０ｂとの間に隙間が生じるので、ロック解除状態になり、ケース本体２をブラケット５０に対して垂直方向に自由に回動することができる。
【００４８】
また、ロックレバー５５をロック解除状態の垂直位置から水平に倒すことにより、図６（ａ）及び（ｂ）に示すように、ロックレバー５５の傾斜面５５ｂと、ブラケット部５０の傾斜面５０ｂとが圧接されると共に、枢支ピン５６の頭部５６ａ及び止着部５６ｂがワッシャー５７を介して取付凹部２ｅの底面及びロックレバー５５の外側面にそれぞれ押圧されてロック状態となる。したがって、ケース本体２を垂直方向の任意の位置に固定することができ、ケース本体２の姿勢を自由に変位させることができる。
【００４９】
なお、ロック機構５２は、上記説明の形態に限られず、例えば、ロックレバー５５に代えて回転摘みにしてもよく、あるいは、図７及び図８に示すような間欠機構を利用したロック機構５２Ａによって形成してもよい。
【００５０】
上記ロック機構５２Ａは、図７及び図８に示すように、ケース本体２に固定されて、ケース本体２とスタンド２のブラケット部５０とを回動可能に枢着する枢支ピン５６Ａに装着される爪車５８と、この爪車５８に係脱可能、すなわち一方方向の回転（図８において、反時計方向）に係合し、他方向の回転（時計方向）には係合しないように係合する爪５９ｃを有するロックレバー５９とで主に構成されている。
【００５１】
この場合、爪車５８の外周面には、回転方向に沿って同様の傾斜角度を有する等ピッチの係止歯５８ａが設けられている。一方、ロックレバー５９は、ブラケット部５０の上端部側方に延在する取付片５０ｃにレバーピン５９ａをもって垂直方向に回動可能に枢着されると共に、ばね部材５９ｂの弾性力（弾発力）の付勢によって常時爪５９ｃが爪車５８の係止歯５８ａに係合し得るように構成されている。
【００５２】
上記のように構成されるロック機構５２Ａによれば、通常の状態では、図８（ａ）に示すように、ロックレバー５９がばね部材５９ｂによって垂直に起立した状態に保たれ、ロックレバー５９の係止部５９ｃが爪車５８の係止歯５８ａに係合する。この状態から、ケース本体２を、図４に示すビールサーバーのセット位置から、ビールサーバーの使用位置側に回動すると、ばね部材５９ｂの弾性力（弾発力）に抗して爪車５８が回動するので、ケース本体２をビールサーバの使用位置まで回動することができる。回動を停止すると、ばね部材５９ｂの弾性力（弾発力）によってロックレバー５９の爪５９ｃが爪車５８の係止歯５８ａに係合してケース本体２の逆方向への回動は阻止され、ケース本体２がロック状態すなわちケース本体２の姿勢が保たれる。
【００５３】
また、ロック状態を解除するには、ロックレバー５９をロック状態の垂直位置からばね部材５９ｂの弾性力（弾発力）に抗して爪５９ｃを爪車５８から離れる方向に倒すことにより、ロックレバー５９の爪５９ｃと爪車５８の係止歯５８ａとの係合が解かれるので、爪車５８は回動可能となり、ケース本体２を回動することができる（図８（ｂ）参照）。
【００５４】
なお、ケース本体２におけるタップ３３のノズル部３３ｂの下部側には、受け皿５４が配設されている。この受け皿５４は、ブラケット部５０の前側下部頂点部５３に穿設された取付孔（図示せず）に、取付けピン５４ａを介して枢着されており、使用時には、図１及び図２に示すように、水平状態に展開されて、容器例えばジョッキＪを載置し、タップ３３から注入されるビールがジョッキＪから溢れた場合やジョッキＪから飛散した場合に受け止めることができるように構成されている。また、不使用時には、ケース本体２の下部位置に折り畳まれるように構成されている（図示せず）。
【００５５】
上記のように構成されるビールサーバを使用する場合には、まず、ケース本体２のタップ収納室２３の蓋２６を開き、タップ収納室２３の収納凹所２４からタップ３３を取り出し、タップ３３の取付用ブロック３４を、ケース本体２に設けられた取付凹所２８内に嵌合して取り付ける。このとき、タップ収納室２３は蓋２６で閉塞する。次に、図４に示すように、ケース本体２を飲料容器セット位置に回動させ、ケース本体２の蓋体２２を外した状態で、開口部１２からビール缶１をケース本体２内に収容する。次に、上記に説明したように、ビール缶１のキャップ１１に嫌気開栓体４を装着する。この状態で、ケース本体２の開口部１２に蓋体を装着させ、スタンド５の回転機構によってケース本体２を飲料注出に適した位置（姿勢）にし、ロック機構５２により固定して、飲料の注出操作を行う（図１参照）。
【００５６】
上記のようにしてセットされたビール缶１内のビールＢをジョッキＪ等に注出する場合には、図１及び２に示すように、ジョッキＪを受け皿５４上に載置した状態で、タップ３３のレバー３３ｃを操作して、ビール缶１内のビールＢをジョッキＪ内に注出することができる。また、使用しない場合には、受け皿５４をケース本体２の下部位置に折り畳んだ状態で保管することができる（図示せず）。
【００５７】
また、ビール缶１内にビールＢが残った状態で、次にビールＢを飲むときまで保管する場合には、まず、蓋２６を開放した状態で、取付用ブロック３４と共にタップ３３を取付凹所２８から取り出す。そして、図１４に示すように、タップ３３のレバー３３ｃ及びノズル部３３ｂがタップ収納室２３の底部に対して水平状態にし、取付用ブロック３４を収納凹所２４の凹条２４ａに摺動させながら嵌合して収納凹所２４内に取付用ブロック３４を収納し、蓋２６を閉塞してタップ収納室２３を密封する。この状態において、ケース本体２内は、冷却手段１０によって低温雰囲気温度下に設定されている。したがって、タップ３３のノズル部３３ｂに付着したビールから発生する微生物の生育を抑制することができるので、タップ３３のノズル部３３ｂの衛生面を保つことができる。
【００５８】
また、ビールサーバを再度使用する場合には、蓋２６を開放した状態で、収納凹所２４から取付用ブロック３４と共にタップ３３を取外し、そして、取付用ブロック３４と共にタップ３３を取付凹所２８に取り付けて使用に供することができる。
【００５９】
【発明の効果】
以上に説明したように、この発明の冷却機能付き飲料注出器は、上記のように構成されているので以下のような効果が得られる。
【００６０】
（１）請求項１，２記載の発明によれば、飲料容器のキャップ部に気水密に被着した状態で、加圧気体供給手段及び飲料導出手段を気水密を維持しつつ進退移動可能に形成し、加圧気体供給手段及び飲料導出手段を具備する刃部によって飲料容器のキャップ部を切り裂いて飲料容器内に突入させることができるので、飲料容器内に空気が侵入するのを阻止（嫌気）すると共に、加圧気体供給手段及び飲料導出手段を飲料容器内に容易にかつ確実に接続することができ、飲料容器内の飲料を注出することができる。
【００６１】
（２）請求項３記載の発明によれば、ケース本体の支持手段に、ケース本体を垂直方向の任意の位置に固定するロック機構を具備することにより、ケース本体を垂直方向の任意の位置に固定することができるので、ケース本体を飲料容器のセット位置に固定して飲料容器をケース本体内に収容あるいはケース本体内から取り出すことができると共に、ケース本体を飲料注出に適した位置（姿勢）に固定して飲料の注出操作を行うことができる。
【００６２】
（３）請求項４記載の発明によれば、タップを収納するタップ収納室を設けることによって、飲料注出器の不使用時にタップをタップ収納室に収納保管することができると共に、微生物が生育し難い低温雰囲気に保管することができるので、タップのノズル部に付着した飲料から発生する微生物の生育を抑制することができる。
【図面の簡単な説明】
【図１】この発明の冷却機能付き飲料注出器を適用したビールサーバの使用状態を示す全体斜視図である。
【図２】上記ビールサーバの使用状態を示す断面図である。
【図３】この発明における嫌気開栓体の装着状態を示す拡大断面図である。
【図４】上記ビールサーバの飲料容器セット位置を示す斜視図である。
【図５】この発明におけるロック機構のロック解除状態を示す側面図（ａ）、（ａ）のＩ−Ｉ線に沿う断面図（ｂ）である。
【図６】この発明におけるロック機構のロック状態を示す側面図（ａ）、（ａ）のＩＩ−ＩＩ線に沿う断面図（ｂ）である。
【図７】この発明におけるロック機構の変形例を適用したビールサーバーの使用状態を示す全体斜視図である。
【図８】図７のロック機構のロック状態を示す側面図（ａ）、ロック解除状態を示す側面図（ｂ）である。
【図９】この発明におけるタップを示す斜視図である。
【図１０】上記タップの収納状態を示す全体斜視図である。
【図１１】上記タップの収納状態を示す要部断面図である。
【図１２】図１１のＡ−Ａ線に沿う断面図である。
【図１３】この発明における嫌気開栓体の刃部と刃部取付部材を示す分解斜視図である。
【図１４】上記嫌気開栓体のビール缶のキャップへの取付け前状態を示す分解断面図である。
【図１５】上記嫌気開栓体の開栓前状態を示す要部断面図である。
【符号の説明】
１　ビール缶（飲料容器）
２　ケース本体
４　嫌気開栓体
５　スタンド（支持手段）
７ａ　Ｏリング（シール機構）
７ｂ　シールパッキン（シール機構）
１０　冷却手段
１１　キャップ
２３　タップ収納室
３０　炭酸ガス供給部（加圧気体供給手段）
３２　ビール導出部（飲料導出手段）
３３　タップ
５２，５２Ａ　ロック機構
９０　刃部
９５　炭酸ガス供給路（加圧気体供給路）
９６　ビール導出路（飲料導出路）
【図１】
2004051112.tif 000003
【図２】
2004051112.tif 000004
【図３】
2004051112.tif 000005
【図４】
2004051112.tif 000006
【図５】
2004051112.tif 000007
【図６】
2004051112.tif 000008
【図７】
2004051112.tif 000009
【図８】
2004051112.tif 000010
【図９】
2004051112.tif 000011
【図１０】
2004051112.tif 000012
【図１１】
2004051112.tif 000013
【図１２】
2004051112.tif 000014
【図１３】
2004051112.tif 000015
【図１４】
2004051112.tif 000016
【図１５】
2004051112.tif 000017